(57)【要約】【課題】パワーストーンの色合い、透明感、大きさに違いがあっても、これらの違いを気に掛けることなく、異なる色合い、透明感、大きさのパワーストーンを有効に利用できる装身具を提供することにある。【解決手段】柔軟性があり内部空間を有する筒状体と、前記筒状体の両端にそれぞれ設けられ、相互に接続と分離が可能な一対の留め具と、前記筒状体の内部空間に収納されている複数個のパワーストーンとで構成されている装身具であり、たとえば、前記筒状体は編物や織物で構成されている。また、前記柔軟性があり内部空間を有する筒状体は樹脂製チューブでも構成され、前記樹脂製チューブは不透明または半透明のもので構成されている。【選択図】図１
0003214451.tif 000002
【実用新案登録請求の範囲】
【請求項１】
柔軟性があり内部空間を有する筒状体と、前記筒状体の両端にそれぞれ設けられ、相互に接続と分離が可能な一対の留め具と、前記筒状体の前記内部空間に収納されている複数個のパワーストーンとからなる装身具。
【請求項２】
前記柔軟性があり内部空間を有する筒状体は編物、織物からなる請求項１に記載の装身具。
【請求項３】
前記柔軟性があり内部空間を有する筒状体は編物からなり、前記編物を構成する糸は平面視した状態で互いに近接または接触した状態のものである請求項２に記載の装身具。
【請求項４】
前記柔軟性があり内部空間を有する筒状体は編物からなり、この編物を構成するものは帯状皮革であり、前記編物を構成している各帯状皮革は平面視した状態で互いに近接または接触した状態のものである請求項２に記載の装身具。
【請求項５】
前記柔軟性があり内部空間を有する筒状体は皮革そのものの筒状体で構成されたものである請求項１に記載の装身具。
【請求項６】
前記柔軟性があり内部空間を有する筒状体は樹脂製チューブからなり、前記樹脂製チューブは不透明または半透明のものである請求項１に記載の装身具。
【考案の詳細な説明】
【技術分野】
【０００１】  この考案は、ブレスレットやネックレスなどの装身具に関する。
【背景技術】
【０００２】  ブレスレット、ネックレスなどの装身具は、概ね、図３に示すように、玉状の宝石類１に孔２を空け、糸やワイヤー３を宝石類１の孔２に一個ずつ通して、環状に組立てて構成されている（特許文献１）。この場合は、玉状の宝石類１としては、孔２が形成できる大きさでその大きさがほぼ揃っている球状のもので構成される。
しかしながら、大きさの揃っている宝石類１を使うとしても、色合い、透明度などでバラツキが見られ、統一感がなかなか得られず、色合いの違うものを使用している場合が見受けられる。
【先行技術文献】
【特許文献】
【０００３】
【特許文献１】特開２００９−２６１８７３号
【考案の概要】
【考案が解決しようとする課題】
【０００４】  この考案は、精神の浄化などに効能があると言われているパワーストーンに色合い、透明感、さらには大きさに違いがあっても、パワーストーンを商品価値が下るなどの理由で廃棄することなく、有効利用できる装身具を提供することにある。
【課題を解決するための手段】
【０００５】  この考案に係る装身具の第１の要旨は、柔軟性があり内部空間を有する筒状体と、前記筒状体の両端にそれぞれ設けられ、相互に接続と分離が可能な一対の留め具と、前記筒状体の前記内部空間に収納されている複数個のパワーストーンとからなるものである。
また、この考案に係る装身具の第２の要旨は、第１の要旨において、前記柔軟性があり内部空間を有する筒状体は編物、織物からなるものである。
また、この考案に係る装身具の第３の要旨は、第２の要旨において、前記柔軟性があり内部空間を有する筒状体は編物からなり、前記編物を構成し隣接している糸は平面視した状態で互いに近接または接触した状態のものである。
また、この考案に係る装身具の第４の要旨は、第２の要旨において、前記柔軟性があり内部空間を有する筒状体は編物からなり、この編物を構成するものは帯状皮革であり、前記編物を構成し隣接している帯状皮革は平面視した状態で互いに近接または接触した状態のものである。
また、この考案に係る装身具の第５の要旨は、第１の要旨において、前記筒状体は皮革そのものの筒状体で構成されたものである。
さらにまた、この考案に係る装身具の第６の要旨は、第１の要旨において、前記筒状体は樹脂製チューブからなり、前記樹脂製チューブは不透明または半透明のものである。【０００６】  この考案において、前記柔軟性があり内部空間を有する筒状体を構成するとしては、糸を編んだ編物がある。
この編物を構成する糸としては、天然繊維、人工繊維、金属糸などを用いることができる。天然繊維としては、綿、麻、羊毛、絨毛などがある。また、人工繊維としてはレーヨン、ナイロン、ビニロン、アクリル、ポリエステル、ポリエチレン、ポリプロピレン、パラ系アラミド、メタ系アラミド、炭素繊維、耐炎繊維、セラミック繊維、シリカ繊維、金属繊維、セルロースを含む人工繊維などがある。さらには、この編物を構成するものとしては、天然繊維や人工繊維や金属糸の混紡物、合糸物、合撚物、混織物のいずれか一つ、または、これらの組み合わせを用いることもできる。
このうち、筒状体が編物で構成されたものについて、より詳しくは、編物を構成し隣接している糸は平面視した状態で互いに近接または接触した状態のものである。
ここで編物の網目としては、例えば、平織り、綾織、朱子織、斜子織、斜文織などがある。【０００７】  また、前記柔軟性があり内部空間を有する筒状体としては、織物で筒状に構成されたものがある。糸織物であるので、縦糸と横糸が織り上げられたもので、各糸同士が隙間のないような状態で織られたものである。
糸織物を構成する糸としては、絹糸、綿糸、毛糸、化繊などがある。また、糸としては、２種類以上の繊維を混ぜ合わせて紡績した混紡糸や、１種類の糸と他種類の糸とより合わせて作った混撚糸などを用いることができる。このほかに金糸、銀糸、ラメ糸や、伸縮性の大きなゴム糸、弾性糸なども用いることができる。ここで、糸織物で筒状に構成されたものとしては、具体的には西陣織を用いることができる。【０００８】  また、前記柔軟性があり内部空間を有する筒状体としては、前記筒状体は帯状皮革の編物で構成することもできる。この編物からなる帯状皮革は平面視した状態で互いに近接または接触した状態のものである。
ここでは、帯状皮革としては、天然のものや、なめしたものを用いることができる。網目状体となるように幅を細くした帯状の皮革で編物として構成したものである。先に説明したように、糸を編んだ編物からなる筒状体と同様、網目としては、例えば、平織り、綾織、朱子織、斜子織、斜文織などがある。【０００９】  また、前記柔軟性があり内部空間を有する筒状体としては、皮革そのものの筒状体で構成されたものがある。皮革としては、先に説明したように、天然のものや、なめしたものを用いることができる。
ここでは、巻き回して筒状するのに十分な広さの面積を有する皮革を準備し、この皮革を巻き回した上でその端部同士を縫合するなどして筒状体とすることができる。【００１０】  さらにまた、前記柔軟性があり内部空間を有する筒状体としては樹脂製チューブのもので構成されたものがある。この樹脂製チューブとしては、ポリ塩化ビニル、ポリエチレン、ポリプロピレン、ポリウレタンなどがある。
筒状体が樹脂製チューブのものとしては不透明または半透明のもので構成される。筒状体が不透明のものであれば、その内部空間に収納されたパワーストーンが目視で確認できないものとなり、たとえば、色合い、透明度、大きさなどにバラツキがあっても、装着者は気に掛からなくなる。【００１１】  さらにまた、筒状体が半透明のものであれば、筒状体内部のパワーストーンの色合い、透明度などの判別が困難で、外観形状も正確に把握することは困難であるが、指で筒状体を押圧するなどにより内部のパワーストーン自体を確認できるので、装着者にはパワーストーンの存在を把握することができる。
したがって、この考案によれば、パワーストーンの色合い、透明度、大きさに拘ることなく、色合い、透明度、大きさに違いがあるパワーストーンを装身具として有効に利用することができる。【００１２】  また、留め具としては、筒状体の両端のうち一方がプラグで他方がソケットからなるタイプのもの、筒状体の両端部の位置にＮ極、Ｓ極をそれぞれ配置させた永久磁石よりなるタイプのもの、面ファスナーで構成したもの、フック留め金具で構成したものなどがある。
さらに、パワーストーンとしては、トルマリン、アパタイト、オパール、アメジスト、ダイヤモンドなどがある。
【考案の効果】
【００１３】  この考案によれば、パワーストーンを構成する色合い、透明度、大きさなどの要素に相違があっても、筒状体に収納することによって要素の違いを理由にパワーストーンを廃棄することなく有効に利用できる。
したがって、装着者にとって、他者からパワーストーンの種類、色合い、透明度、大きさを評価されたり、他者に見られていることに気に留めずに、パワーストーンを身につける満足度が容易に得られる。
さらには、異なる種類のパワーストーンを任意の組み合わせで混在させ、パワーストーンの浄化作用の複合的な効能を感じとることができる。
【図面の簡単な説明】
【００１４】
【図１】この考案の一実施例を示しており、一部に切欠き部分を有し、かつ部分拡大部を有する斜視図である。
【図２】この考案の他の実施例を示す一部切欠き斜視図である。
【図３】従来例を示す概略正面図である。
【考案を実施するための形態】
【００１５】  以下、この考案の詳細について図面をもとに説明する。図１はこの考案の一実施例としてブレスレットを示している。
図１において、このブレスレットは柔軟性を有し内部空間１２を有する筒状体１１と、この筒状体１１の両端にそれぞれ設けられた一対の留め具１３ａ、１３ｂと、筒状体１１の内部空間１２に収納された複数個のパワーストーン１４とから構成されている。
【００１６】  筒状体１１としては、糸１１ａ、１１ｂを綾織した編物で構成されている。この糸は図１に示した部分拡大図から明らかなように、糸１１ａ、１１ｂはそれぞれが複数本の糸を平行に平滑状に並べた複合糸から構成されている。
前記編物を構成している糸は隣接するものが平面視した状態で互いに近接または接触した状態のものである。隣接する糸同士は互いに固着されていないので柔軟性を有している。
【００１７】  図示したものは、筒状体１１が略環状とされており、筒状体１１の両端に設けられた一対の留め具１３ａと留め具１３ｂはフック留め金具タイプのもので互いに相互に接続されている。使用に当っては、当初は一対の留め具１３ａと留め具１３ｂとが分離されており、この状態で利用者の手首に掛け回したのち、一対の留め具１３ａと留め具１３ｂをフック留めすることで装身具として装着することができる。
なお、図１において、織物の状態は略環状筒状体の中央領域に図示されているが、その両側については織物状態を省略している。
【００１８】  利用者が装身具を装着した状態では、筒状体１１の内部空間１２にパワーストーン１４が収納されており、たとえば、パワーストーン１４としてトルマリンを用いた場合には、マイナスイオンの発生効果や遠赤外線照射効果が得られるとともに、心身の浄化が期待できる。
筒状体１１の両端にある一対の留め具１３ａと留め具１３ｂは互いに分離することで、この装身具の装着を解除することができる。
【００１９】  次に、図２のもとづいてこの考案の他の実施例について説明する。図２において、この装身具は、柔軟性があり内部空間２２を有する筒状体２１と、この筒状体２１の両端に設けれた一対の留め具２３ａ、２３ｂと、筒状体２１の内部空間２２に収納された複数個のパワーストーン２４とから構成されている。
【００２０】  柔軟性がある樹脂製チューブの筒状体２１としては、たとえば、ポリプロピレンで不透明のもので構成されている。この場合、その内部空間２２に収納されたパワーストーン２４が目視で確認できないので、この実施例の装身具の構造が理解し易いように、図２は筒状体２１の一部切り欠いて内部空間２２を確認できるようにするとともに、この内部空間２２に収納されているパワーストーン２４を示している。
【００２１】  筒状体２１としては、不透明のほかに半透明のものを用いてもよい。この場合には、筒状体２１にパワーストーン２４が内部空間２２に収納されているものの、色の判別が困難で、外観形状も正確に把握することが困難ではあるが、筒状体を押圧するなどにより、装着者が内部空間２２にパワーストーン２４が収納されていることを認識できるので、パワーストーンを装着している満足度を得られることが可能である。
【００２２】  図示したものは、図１に示した装身具と同様、筒状体２１が略環状とされ、筒状体２１の両端に設けられた一対の留め具２３ａと留め具２３ｂとして、両端部の位置にＮ極、Ｓ極をそれぞれ配置させた永久磁石よりなるタイプのものが用いられ、互いに相互に接続されている状態が示されている。
使用に当っては、図示していないが、当初、一対の留め具２３ａと留め具２３ｂとが分離されており、この状態で手首に掛け回したのち、一対の留め具２３ａと留め具２３ｂを磁力で互いに固着することで装身具として装着することができる。この例でも装身具はブレスレットとして利用することができる。
【００２３】  この実施例においても、利用者が装身具を装着した状態では、筒状体２１の内部空間２２にパワーストーン２４が収納されており、たとえば、パワーストーン２４としてトルマリンを用いた場合には、マイナスイオンの発生効果や遠赤外線照射効果が得られるとともに、心身の浄化が期待できる。
筒状体２１の両端にある一対の留め具２３ａと留め具２３ｂは互いに分離することで装着を解除することができる。
なお、以上の実施例ではブレスレットについて説明したが、このほかにこの考案の装身具はネックレスとしても構成することができる。
【符号の説明】
【００２４】    １１            筒状体
１１ａ、１１ｂ  糸
１２            内部空間
１３ａ、１３ｂ  留め具
１４            パワーストーン
２１            筒状体
２２            内部空間
２３ａ、２３ｂ  留め具
２４            パワーストーン
【図１】
0003214451.tif 000003
【図２】
0003214451.tif 000004
【図３】
0003214451.tif 000005